(57)【要約】      （修正有）【課題】病変部位組職を電気熱で簡単で効果的に施術する人体内腔施術用処置装置を提供する。【解決手段】先端に第１及び第２やっとこ型イフェクターが設置された第１及び第２管部材３１、３２が内装設置され、第１及び第２管部材の内部に、先端の第１及び第２やっとこ型イフェクターと後端の第１及び第２操作取っ手５１、５２がそれぞれ連結される作動ワイヤ６０が挿入され、第１及び第２操作取っ手によって作動ワイヤが前後に移動して第１及び第２やっとこ型イフェクターを操作し、第１及び第２やっとこ型イフェクターに電気線が連結され、体内粘膜の腫瘍などの病変部位を第１やっとこ型イフェクターで摘まんで拡大させ、第２やっとこ型イフェクターによって病変組職を正常組職から電気熱で切開施術する、あるいは体内腔の病変部位に設置される熱処理用ステントに第１及び第２やっとこ型イフェクターを選択的に連結して病変部位を電気熱で焼灼処理する。【選択図】図１
2015089515.tif 000002
【特許請求の範囲】
【請求項１】
フレキシブル材の単一保護チューブ１０の内部に、先端に第１及び第２やっとこ型イフェクター４１、４２が設置された第１及び第２管部材３１、３２が内装設置され、
前記第１及び第２管部材３１、３２の内部に、先端の第１及び第２やっとこ型イフェクター４１、４２と後端の第１及び第２操作取っ手５１、５２がそれぞれ連結された作動ワイヤ６０が挿入され、第１及び第２操作取っ手によって作動ワイヤ６０が前後に移動しながら第１及び第２やっとこ型イフェクター４１、４２を操作し、
前記第１及び第２やっとこ型イフェクター４１、４２に電気線が連結されて体内の病変部位組職を電気熱で処置するようになったことを特徴とする、人体内腔施術用処置装置。
【請求項２】
前記第１及び第２やっとこ型イフェクター４１、４２にそれぞれ連結された電気線７０は保護チューブ１０の内部を通じて第１及び第２操作取っ手５１、５２の電気ポート５８に連結され、前記電気ポート５８に医療用に使われる電気発振器８０の連結ジャック８２が選択的に差し込まれて連結されることによって電源が選択的に供給されることを特徴とする、請求項１に記載の人体内腔施術用処置装置。
【請求項３】
第１及び第２操作取っ手５１、５２は、後端に親指を挿入する指挿入孔５３ａを持つ把持部５３、前記把持部の先端に結合され、内部空間部５５ａに第１及び第２管部材３１、３２が挿入固定される胴体部５５、及び前記胴体部の外部に前後に移動可能に挿入され、人差し指及び中指を外側挿入溝５６ａに挿入して把持するボビン状の作動ピストン５６を含んでなり、前記作動ピストンに作動ワイヤ６０の末端が連結され、作動ピストンによって作動ワイヤ６０が前後に移動調節されるように構成されることを特徴とする、請求項１に記載の人体内腔施術用処置装置。
【請求項４】
前記第１及び第２やっとこ型イフェクター４１、４２は、内側に鋸歯状の固定部４７を持つ左右ジョー４６、４６’が“Ｘ”字形に交差するように位置してピボットピン４５で連結されるとともに左右ジョー４６、４６’の後端が作動ワイヤ６０に連結され、前記作動ワイヤ６０の前後移動調節によって左右ジョー４６、４６’がピボットピン４５を中心にやっとこの形態に開けられるとか窄められるように構成されることを特徴とする、請求項１に記載の人体内腔施術用処置装置。
【請求項５】
フレキシブル材の単一保護チューブ１０の内部に、先端に第１及び第２やっとこ型イフェクター４１、４２が設置された第１及び第２管部材３１、３２が内装設置され、
前記第１及び第２管部材３１、３２の内部に、先端の第１及び第２やっとこ型イフェクター４１、４２と後端の第１及び第２操作取っ手５１、５２がそれぞれ連結された作動ワイヤ６０が挿入され、第１及び第２操作取っ手によって作動ワイヤ６０が前後に移動しながら第１及び第２やっとこ型イフェクター４１、４２を操作し、
前記第１及び第２やっとこ型イフェクター４１、４２は、体内の病変部位を摘まむやっとこの機能をする第１やっとこ型イフェクター４１より電気線で連結されて電気熱で正常組職から病変組職を切開する機能をする第２やっとこ型イフェクター４２の長さが長く形成されることを特徴とする、人体内腔施術用処置装置。
【請求項６】
第１及び第２操作取っ手５１、５２は、後端に親指を挿入する指挿入孔５３ａを持つ把持部５３、前記把持部の先端に結合され、内部空間部５５ａに第１及び第２管部材３１、３２が挿入固定される胴体部５５、及び前記胴体部の外部に前後に移動可能に挿入され、人差し指と中指が外側挿入溝５６ａに挿入されて把持するボビン状の作動ピストン５６を含んでなり、前記作動ピストンに作動ワイヤ６０の末端が連結され、作動ピストンによって作動ワイヤ６０が前後に移動調節されるように構成されることを特徴とする、請求項５に記載の人体内腔施術用処置装置。
【請求項７】
前記第１及び第２やっとこ型イフェクター４１、４２は、内側に鋸歯状の固定部４７を持つ左右ジョー４６、４６’が“Ｘ”字形に交差するように位置し、ピボットピン４５で連結されるとともに左右ジョー４６、４６’の後端が作動ワイヤ６０に連結され、前記作動ワイヤ６０の前後移動調節によって左右ジョー４６、４６’がピボットピン４５を中心にやっとこの形態に開けられるとか窄められるように構成されることを特徴とする、請求項６に記載の人体内腔施術用処置装置。
【請求項８】
フレキシブル材の単一保護チューブ１０の内部に、先端に第１及び第２やっとこ型イフェクター４１、４２が設置された第１及び第２管部材３１、３２が内装設置され、
前記第１及び第２管部材３１、３２の内部に、先端の第１及び第２やっとこ型イフェクター４１、４２と後端の第１及び第２操作取っ手５１、５２を連結する作動ワイヤ６０がそれぞれ挿入され、前記第１及び第２操作取っ手５１、５２によって作動ワイヤ６０が前後に移動しながら第１及び第２やっとこ型イフェクター４１、４２をそれぞれ操作し、
前記第１及び第２やっとこ型イフェクター４１、４２にそれぞれ電気線７０が連結され、前記電気線７０は第１及び第２管部材３１、３２の内部にそれぞれ挿入されて第１及び第２操作取っ手５１、５２にそれぞれ形成された電気ポート５８に連結され、
前記電気ポート５８に医療用に使われる電気発振器８０の連結ジャック８２がそれぞれ連結され、前記電気発振器８０から電源の供給を受けた第１及び第２やっとこ型イフェクター４１、４２が病変部位に挿入された熱治療料用ステント２００の電源線２１０にそれぞれ連結されることにより、前記ステント２００で電気熱が発生するようにすることを特徴とする、人体内腔施術用処置装置。
【発明の詳細な説明】
【技術分野】
【０００１】
本発明は人体内腔施術用処置装置に係り、より詳しくは電気線が連結された二つの第１及び第２やっとこ型イフェクターを用いて主に体内粘膜の腫瘍などの病変部位を切開施術するとか、あるいは体内腔に設置される熱処理用ステントに連結して熱治療施術するのに使われ、病変部位組職を電気熱で簡単で効果的に施術する人体内腔施術用処置装置に関するものである。
【背景技術】
【０００２】
近年、体内粘膜の腫瘍などの病変部位を非手術方式の電気（または高周波）によって焼灼するとか切開する電気（または高周波）処置施術が多く行われている。
【０００３】
このような電気熱による処置施術は、内視鏡で確認しながら人体内腔施術用処置装置を体内粘膜の腫瘍などの病変部位に挿入した後、電気（または高周波）で病変組職を焼灼するとか病変組職を正常組職から切除するものである。
【０００４】
このような従来の人体内腔施術用処置装置は、特許文献１の大韓民国特許登録第１０−９５４２８５号のように、内視鏡によって体内の病変部位に挿入する針やナイフに電気（または高周波）を印加して前記針やナイフによって病変部位を焼灼させるとか切除するものである。
【０００５】
また、特許文献２の大韓民国特許出願第１０−２０１２−７００４９６９号のように、内視鏡によって体内の病変部位に挿入するやっとこ型のイフェクターに電気（または高周波）を印加するとともに前記やっとこ型のイフェクターを開けるとか窄めるやっとこの作動で病変組職を切除するものである。
【０００６】
しかし、前述した従来の人体内腔施術用処置装置はいずれも単一の針やナイフ、単一のイフェクターなどを病変部位に挿入し、針、ナイフ、イフェクターなどで病変部位を焼灼させるとか切開して治療するため、単一手段によって病変組職を正常組職から正確で効率よく焼灼させるとか切除する作業が困る問題点があった。
【０００７】
さらに、従来のイフェクターが適用された従来の人体内腔施術用処置装置は、イフェクターの操作構造が複雑であるため、使用者が簡単で効果的に施術することができない問題点があった。
【先行技術文献】
【特許文献】
【０００８】
【特許文献１】大韓民国特許登録第１０−９５４２８５号明細書
【特許文献２】大韓民国特許出願第１０−２０１２−７００４９６９号明細書
【発明の概要】
【発明が解決しようとする課題】
【０００９】
本発明は前記のような従来技術が持つ諸般の問題点を解決するためになされたもので、電気線が連結された二つの第１及び第２やっとこ型イフェクターを用いて主に体内粘膜の腫瘍などの病変部位を切開施術するとかあるいは体内腔に設置される熱処理用ステントに連結して熱治療施術することで、病変部位組職を電気熱で簡単かつ効果的に施術することにその目的がある。
【００１０】
すなわち、体内粘膜の腫瘍などの病変部位を第１やっとこ型イフェクターで摘まんで隆起させ、第２やっとこ型イフェクターによって病変組職を正常組職から簡単かつ正確に電気熱で切開施術するとか、あるいは体内腔の病変部位に設置される熱処理用ステントに第１及び第２やっとこ型イフェクターを選択的に連結して病変部位を簡単に電気熱で焼灼処理することにその目的がある。
【００１１】
本発明は、主にやっとこの機能のために使用する第１やっとこ型イフェクターより病変組職の切開の機能のために使用する第２やっとこ型イフェクターの長さを長く形成して切開作動をより効果的に行うことに他の目的がある。
【００１２】
本発明は、第１及び第２やっとこ型イフェクターを操作する第１及び第２操作取っ手を簡単に構成することで、第１及び第２やっとこ型イフェクターの操作による施術作業を簡単に行うようにすることにさらに他の目的がある。
【課題を解決するための手段】
【００１３】
このような本発明の目的は、フレキシブル材の単一保護チューブの内部に、先端に第１及び第２やっとこ型イフェクターが設置された第１及び第２管部材が内装設置され、前記第１及び第２管部材の内部に、先端の第１及び第２やっとこ型イフェクターと後端の第１及び第２操作取っ手がそれぞれ連結された作動ワイヤが挿入され、第１及び第２操作取っ手によって作動ワイヤが前後に移動しながら第１及び第２やっとこ型イフェクターを操作し、前記第１及び第２やっとこ型イフェクターに電気線が連結されて体内の病変部位組職を電気熱で処置するようになったことを特徴とする人体内腔施術用処置装置によって達成される。
【００１４】
前記第１及び第２やっとこ型イフェクターにそれぞれ連結された電気線は保護チューブの内部を通じて第１及び第２操作取っ手の電気ポートに連結され、前記電気ポートに医療用に使われる電気発振器の連結ジャックが選択的に差し込まれて連結されることによって電源が選択的に供給されることができる。
【００１５】
前記第１及び第２やっとこ型イフェクターは、体内粘膜の腫瘍などの病変部位を摘まむやっとこの機能をする第１やっとこ型イフェクターより電気線で連結されて電気熱で正常組職から病変組職を切開する機能をする第２やっとこ型イフェクターの長さが長く形成されることができる。
【００１６】
第１及び第２操作取っ手は、後端に親指を挿入する指挿入孔を持つ把持部、前記把持部の先端に結合され、内部空間部に第１及び第２管部材が挿入固定される胴体部、及び前記胴体部の外部に前後に移動可能に挿入され、人差し指及び中指を外側挿入溝に挿入して把持するボビン状の作動ピストンを含んでなり、前記作動ピストンに作動ワイヤの末端が連結され、作動ピストンによって作動ワイヤが前後に移動調節可能に構成されることができる。
【発明の効果】
【００１７】
このような本発明は、単一保護チューブに電気線が連結された二つの第１及び第２イフェクターを設置する第１及び第２管部材、作動ワイヤ、第１及び第２操作取っ手を集約的に構成し、二つの第１及び第２やっとこ型イフェクターを用いて主に体内粘膜の腫瘍などの病変部位を切開施術するとか、あるいは体内腔に設置される熱処理用ステントに連結して熱治療施術することに使用するものである。
【００１８】
特に、二つの第１及び第２イフェクターを用いて、体内粘膜の腫瘍などの病変部位を第１やっとこ型イフェクターで摘まんで隆起させ、第２やっとこ型イフェクターによって病変組職を正常組職から簡単かつ正確に電気熱で切開施術するとか、あるいは体内腔の病変部位に設置される熱処理用ステントに第１及び第２やっとこ型イフェクターを選択的に連結して病変部位を簡単に電気熱で焼灼処理するものである。
【００１９】
また、前記第１及び第２イフェクターは、主にやっとこの機能のために使用する第１やっとこ型イフェクターより病変組職の切開の機能のために使用する第２やっとこ型イフェクターの長さを長く形成して切開作動をより効果的に行うことはもちろんのこと、前記第１及び第２操作取っ手を簡単に構成して第１及び第２やっとこ型イフェクターの操作による施術作業を簡単に行うことになる効果を持つものである。
【図面の簡単な説明】
【００２０】
【図１】本発明による装置の全体構成を示す正面図である。
【図２】図１の操作取っ手を示す斜視図である。
【図３】図２の断面構成図である。
【図４】図１の“Ａ”部の拡大断面図である。
【図５】図１の“Ｂ”部の拡大断面図である。
【図６】本発明による第１及び第２やっとこ型イフェクターの開けられた状態と窄んだ状態の正面図である。
【図７】本発明による第１及び第２やっとこ型イフェクターの開けられた状態と窄んだ状態の正面図である。
【図８ａ】本発明による装置の使用例を示す正面図である。
【図８ｂ】本発明による装置の使用例を示す正面図である。
【図８ｃ】本発明による装置の使用例を示す正面図である。
【図８ｄ】本発明による装置の使用例を示す正面図である。
【図９】本発明による装置の使用例を示す正面図である。
【発明を実施するための形態】
【００２１】
以下、前述した本発明の好適な実施例を添付図面に基づいて具体的に説明する。
【００２２】
本発明の人体内腔施術用処置装置は、図１〜図７に示したように、フレキシブル材の単一保護チューブ１０の内部に、先端に第１及び第２やっとこ型イフェクター４１、４２が設置された第１及び第２管部材３１、３２を内装設置し、前記第１及び第２管部材３１、３２の内部には先端の第１及び第２やっとこ型イフェクター４１、４２と後端の第１及び第２操作取っ手５１、５２をそれぞれ連結する作動ワイヤ６０を挿入し、第１及び第２操作取っ手によって作動ワイヤ６０を前後に移動させて第１及び第２やっとこ型イフェクター４１、４２を操作し、前記第１及び第２やっとこ型イフェクター４１、４２に電気線を連結し、体内の病変部位組職を電気熱で処置することになる。
【００２３】
前記第１及び第２やっとこ型イフェクター４１、４２は内側に鋸歯状の固定部４７を持つ左右ジョー４６、４６’を“Ｘ”字形に交差するように位置させ、ピボットピン４５で連結するとともに左右ジョー４６、４６’の後端を作動ワイヤ６０に連結し、前記作動ワイヤ６０の前後移動調節によって左右ジョー４６、４６’がピボットピン４５を中心にやっとこの形態に開けられるとか窄められるように構成される。
【００２４】
また、前記第１及び第２やっとこ型イフェクター４１、４２はそれぞれ電気線７０を連結することで、第１及び第２やっとこ型イフェクター４１、４２の一方または両方に電源を選択的に供給して電気熱で処置するように構成される。
【００２５】
すなわち、前記第１及び第２やっとこ型イフェクター４１、４２に連結された電気線７０は保護チューブ１０の内部を通じて第１及び第２操作取っ手５１、５２の電気ポート５８に連結され、前記電気ポート５８に医療用に使われる電気発振器８０の連結ジャック８２を選択的に差し込んで連結することによって電源を供給して電気熱で処置するように構成される。
【００２６】
また、前記第１及び第２やっとこ型イフェクター４１、４２は体内粘膜の腫瘍などの病変部位の電気熱による切開施術または体内腔に設置されるステントに連結して熱治療に主に使われる。特に、前者の電気熱による切開施術のために体内粘膜の腫瘍などの病変部位を摘まむやっとこの機能をする第１やっとこ型イフェクター４１より、電気によって正常組職から病変組職を切開する機能をする第２やっとこ型イフェクター４２の長さを長く形成して構成することが好ましい。
【００２７】
そして、第１及び第２操作取っ手５１、５２は、後端に親指を挿入する指挿入孔５３ａを持つ把持部５３、前記把持部の先端に結合され、内部空間部５５ａに第１及び第２管部材３１、３２が挿入固定される胴体部５５、及び前記胴体部の外部に前後に移動するように挿入され、人差し指と中指を外側挿入溝５６ａに挿入して把持するボビン状の作動ピストン５６からなり、前記作動ピストンに作動ワイヤ６０の末端を連結し、作動ピストンによって作動ワイヤ６０を前後に移動調節することができるように構成される。
【００２８】
未説明符号５９は、作動ワイヤ６０及び電気線７０の末端に連結された固定具７０を作動ピストン５６に組立てるための組立ボルトを示すものである。
【００２９】
次に、前記のような本発明の作動及び作用について詳細に説明する。
【００３０】
まず、体内粘膜の腫瘍などの病変部位の電気切開施術過程を説明すれば、図８ａ〜図８ｄに示したように、保護チューブ１０の内部の第１及び第２管部材３１、３２の先端に位置する第１及び第２やっとこ型イフェクター４１、４２を体内粘膜の腫瘍などの病変部位１００に挿入する。
【００３１】
このような状態で、前記第１及び第２やっとこ型イフェクター４１、４２を操作する第１及び第２操作取っ手５１、５２を把持する。この際、前記第１及び第２操作取っ手の把持部５３に形成された挿入孔５３ａに親指を挿入して把持し、ボビン状の作動ピストン５６の外側から挿入溝５６ａに人差し指と中指を挿入して把持する。
【００３２】
この際、前記第１及び第２操作取っ手５１、５２の中で、病変部位を切開する第２やっとこ型イフェクター４２の第２操作取っ手５２の電気ポート５８に電気発振器８０の連結ジャック８２を差し込んで連結することにより、第２やっとこ型イフェクター４２に連結された電気線７０にだけ電源を供給し、第２やっとこ型イフェクター４２で電気熱による切開施術を行うことになるものである。
【００３３】
これをより具体的に説明する。
【００３４】
前記第１やっとこ型イフェクター４１の第１操作取っ手５１の作動ピストン５６を胴体部５５から押すことによって第１管部材３１の作動ワイヤ６０が前方に移動して、第１管部材３１の先端の第１やっとこ型イフェクター４１が拡開作動を行う。
【００３５】
すなわち、前記作動ワイヤ６０が第１やっとこ型イフェクター４１の“Ｘ”字形に交差する左右ジョー４６、４６’の後端を押して左右ジョー４６、４６’の前方部をピボットピン４５を中心に開けるように作動するものである。
【００３６】
この状態で、前記第１やっとこ型イフェクター４１を病変部位１００中央に位置させる。
【００３７】
この状態で、前記第１操作取っ手５１の作動ピストン５６を胴体部５５から引くことによって第１管部材３１の内部の作動ワイヤ６０が後方に移動し、第１管部材３１の先端の第１やっとこ型イフェクター４１が窄められながら病変部位１００の中央を摘まむことになる。
【００３８】
すなわち、前記作動ワイヤ６０が第１やっとこ型イフェクター４１の“Ｘ”字形に交差する左右ジョー４６、４６’の後端を引っ張ることで、左右ジョー４６、４６’の前方部がピボットピン４５を中心に窄められるように作動するものである。
【００３９】
この際、前記第１やっとこ型イフェクター４１の左右ジョー４６、４６’の内側には鋸歯状の固定部４７があるので、病変部位１００を効果的に摘まむことになる。
【００４０】
この状態で、前記病変部位１００を第１やっとこ型イフェクター４１で引っぱって隆起させた状態で、第２やっとこ型イフェクター４２によって正常組職１１０と病変部位１００の間を電気熱で切開することになるものである。
【００４１】
すなわち、前述した第１やっとこ型イフェクター４１と同様に、第２やっとこ型イフェクター４２の第２作動取っ手５２の作動ピストン５６を胴体５５から引っ張るとか押すことで第２管部材３２の内部の作動ワイヤ６０を前後に移動させることにより、第２やっとこ型イフェクター４２を開けるとか窄めて正常組職と病変部位１００組職の間を電気熱で切開することになるものである。
【００４２】
特に、前記病変部位を摘まむやっとこの機能をする第１やっとこ型イフェクター４１より電気熱で正常組職から病変組職を切開する機能をする第２やっとこ型イフェクター４２の長さを長く形成するため、正常組職１１０と病変部位１００の間を電気熱で切開する作業をより迅速で効果的に行えることになるものである。
【００４３】
このように、第１やっとこ型イフェクター４１によって病変部位１００の中央を摘まんで隆起させた状態で、第２やっとこ型イフェクター４２によって正常組職１１０と病変部位１００の間に沿って電気熱で切開することにより、病変部位１００を正常組職１１０から完全に分離して除去することになるものである。
【００４４】
このようにして、体内粘膜の腫瘍などの病変部位１００を従来のような単一構造のイフェクターではなくて第１及び第２やっとこ型イフェクターと電気熱によって簡単で効果的に切除することになるものである。
【００４５】
ついで、体内腔の狭窄進行または狭窄した病変部位１００に挿入して病変部位を拡張施術した後、病変組職を熱治療する過程を説明すれば、図９に示したように、前記病変部位に挿入された解熱の治療料用ステント２００の電源線２１０に前述したように体内に挿入する第１及び第２やっとこ型イフェクター４１、４２を連結する。
【００４６】
すなわち、前記第１及び第２やっとこ型イフェクター４１、４２の第１及び第２操作取っ手５１、５２の作動ピストン５６を胴体部５５から押すことによって第１及び第２管部材３１、３２の作動ワイヤ６０が前方に移動し、第１及び第２管部材３１、３２の先端の第１及び第２やっとこ型イフェクター４１、４２を開けてステント２００の電気線２１０に位置させる。
【００４７】
この状態で、前記第１及び第２操作取っ手５１、５２の作動ピストン５６を胴体部５５から引っ張ることによって第１及び第２管部材３１、３２の作動ワイヤ６０が後方に移動し、第１及び第２管部材３１、３２の先端の第１及び第２やっとこ型イフェクター４１、４２が窄められてステント２００の電気線２１０を摘んで固定することになるものである。
【００４８】
このような状態で、前記第１及び第２やっとこ型イフェクター４１、４２が連結されたステント２００の設置位置に熱治療を施そうとする場合、第１及び第２操作取っ手５１、５２の電気ポート５８に電気発振器８０の連結ジャック８２を選択的に差し込んで連結することによって第１及び第２やっとこ型イフェクター４１、４２に連結された電気線７０に電源を供給し、第１及び第２やっとこ型イフェクター４１、４２に連結された熱処理用ステント２００の病変部位１００を電気熱で焼灼させることになるものである。
【００４９】
したがって、本発明は単一保護チューブに電気線が連結された二つの第１及び第２イフェクターが設置された第１及び第２管部材、作動ワイヤ、第１及び第２操作取っ手を集約的に構成し、二つの第１及び第２やっとこ型イフェクターを用い、体内粘膜の腫瘍などの病変部位を第１やっとこ型イフェクターで摘まんで隆起させ、第２やっとこ型イフェクターによって病変組職を正常組職から電気熱で切開施術するとかあるいは体内腔の病変部位に設置される熱処理用ステントに第１及び第２やっとこ型イフェクターを選択的に連結して病変部位を電気熱で焼灼処理するなどの施術を簡単で効果的に行うことになるものである。
【符号の説明】
【００５０】
１０    保護チューブ
３１    第１管部材
３２    第２管部材
４１    第１やっとこ型イフェクター
４２    第２やっとこ型イフェクター
５１    第１操作取っ手
５２    第２操作取っ手
５３    把持部
５３ａ  挿入孔
５５    胴体部
５５ａ  内部空間部
５６    作動ピストン
５８    電気ポート
６０    作動ワイヤ
７０    電気線
８０    電気発振器
８２    連結ジャック
【図９】
2015089515.tif 000003
【図１】
2015089515.tif 000004
【図２】
2015089515.tif 000005
【図３】
2015089515.tif 000006
【図４】
2015089515.tif 000007
【図５】
2015089515.tif 000008
【図６】
2015089515.tif 000009
【図７】
2015089515.tif 000010
【図８ａ】
2015089515.tif 000011
【図８ｂ】
2015089515.tif 000012
【図８ｃ】
2015089515.tif 000013
【図８ｄ】
2015089515.tif 000014